【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
繰り返し受信されるデジタルデータ放送に含まれるコンテンツデータの印刷を制御するデジタル情報制御装置であって、
前記デジタルデータ放送に含まれるコンテンツデータの印刷処理を開始すべく、画像形成装置に印刷要求ジョブを発行する印刷要求手段と、
前記画像形成装置から印刷データの配信要求を受け付ける受付手段と、
前記受付手段により配信要求を受け付けた後に、前記デジタルデータ放送に含まれるコンテンツデータから前記画像形成装置で印刷する印刷データを準備して送信する印刷データ出力手段とを有し、
前記受信されるデジタルデータ放送に含まれるコンテンツデータの削除処理を許容し、
前記受付手段により配信要求を受けた後に受信されるデジタルデータ放送に含まれるコンテンツデータから、前記印刷データ出力手段により前記画像形成装置で印刷する印刷データを準備することを特徴とするデジタル情報制御装置。
【請求項２】
前記印刷要求手段による印刷要求ジョブが画像形成装置で受諾された場合に、前記画像形成装置に対して、印刷データを要求するためのＵＲＩ情報を発行する発行手段を有することを特徴とする請求項１に記載のデジタル情報制御装置。
【請求項３】
前記画像形成装置の処理状態を取得し、当該画像形成装置が即座に印刷処理を実行できるか判断する第一判断手段と、
前記第一判断手段により前記画像形成装置が即座に印刷処理を実行できないと判断された場合に、デジタルデータ放送に印刷すべきコンテンツデータが含まれているかを判断する第二判断手段とを更に有し、
前記発行手段は、前記第二判断手段によりデジタルデータ放送に印刷すべきコンテンツデータが含まれていると判断された場合に、デジタル情報制御装置のＵＲＩ情報を前記画像形成装置に発行することを特徴とする請求項２に記載のデジタル情報制御装置。
【請求項４】
前記第一判断手段により前記画像形成装置が即座に印刷処理を実行できると判断された場合に、前記印刷データ出力手段は、印刷データを準備して前記画像形成装置に発行する配信型印刷方式を実行することを特徴とする請求項３に記載のデジタル情報制御装置。
【請求項５】
前記第二判断手段によりデジタルデータ放送に印刷ドキュメントの場所を示す外部装置のＵＲＩ情報が含まれていると判断された場合に、前記発行手段は、前記外部装置のＵＲＩ情報を前記画像形成装置に発行し、印刷処理を終了することを特徴とする請求項３または４に記載のデジタル情報制御装置。
【請求項６】
繰り返し受信されるデジタルデータ放送に含まれるコンテンツデータの印刷を制御するデジタル情報制御方法であって、
前記デジタルデータ放送に含まれるコンテンツデータの印刷処理を開始すべく、画像形成装置に印刷要求ジョブを発行する印刷要求ステップと、
前記画像形成装置から印刷データの配信要求を受け付ける受付ステップと、
前記受付ステップにより配信要求を受け付けた後に、前記デジタルデータ放送に含まれるコンテンツデータから前記画像形成装置で印刷する印刷データを準備して送信する印刷データ出力ステップとを有し、
前記受信されるデジタルデータ放送に含まれるコンテンツデータの削除処理を許容し、
前記受付ステップにより配信要求を受けた後に受信されるデジタルデータ放送に含まれるコンテンツデータから、前記印刷データ出力ステップにより前記画像形成装置で印刷する印刷データを準備することを特徴とするデジタル情報制御方法。
【請求項７】
前記印刷要求ステップによる印刷要求ジョブが画像形成装置で受諾された場合に、前記画像形成装置に対して、印刷データを要求するためのＵＲＩ情報を発行する発行ステップを有することを特徴とする請求項６に記載のデジタル情報制御方法。
【請求項８】
前記画像形成装置の処理状態を取得し、当該画像形成装置が即座に印刷処理を実行できるか判断する第一判断ステップと、
前記第一判断ステップにより前記画像形成装置が即座に印刷処理を実行できないと判断された場合に、デジタルデータ放送に印刷すべきコンテンツデータが含まれているかを判断する第二判断ステップとを更に有し、
前記発行ステップは、前記第二判断ステップによりデジタルデータ放送に印刷すべきコンテンツデータが含まれていると判断された場合に、デジタル情報制御装置のＵＲＩ情報を前記画像形成装置に発行することを特徴とする請求項７に記載のデジタル情報制御方法。
【請求項９】
前記第一判断ステップにより前記画像形成装置が即座に印刷処理を実行できると判断された場合に、前記印刷データ出力ステップは、印刷データを準備して前記画像形成装置に発行する配信型印刷方式を実行することを特徴とする請求項８に記載のデジタル情報制御方法。
【請求項１０】
前記第二判断ステップによりデジタルデータ放送に印刷ドキュメントの場所を示す外部装置のＵＲＩ情報が含まれていると判断された場合に、前記発行ステップは、前記外部装置のＵＲＩ情報を前記画像形成装置に発行し、印刷処理を終了することを特徴とする請求項８または９に記載のデジタル情報制御方法。
【手続補正２】
【補正対象書類名】明細書
【補正対象項目名】発明の名称
【補正方法】変更
【補正の内容】
【発明の名称】デジタル情報制御装置及びデジタル情報制御方法
【手続補正３】
【補正対象書類名】明細書
【補正対象項目名】０００１
【補正方法】変更
【補正の内容】
【０００１】
本発明は、デジタル情報制御装置及びデジタル情報制御方法に関し、特に、デジタルデータ放送を受信するデジタル情報制御装置における印刷処理に用いて好適なものである。
【手続補正４】
【補正対象書類名】明細書
【補正対象項目名】００１２
【補正方法】変更
【補正の内容】
【００１２】
本発明のデジタル情報制御装置は、繰り返し受信されるデジタルデータ放送に含まれるコンテンツデータの印刷を制御するデジタル情報制御装置であって、前記デジタルデータ放送に含まれるコンテンツデータの印刷処理を開始すべく、画像形成装置に印刷要求ジョブを発行する印刷要求手段と、前記画像形成装置から印刷データの配信要求を受け付ける受付手段と、前記受付手段により配信要求を受け付けた後に、前記デジタルデータ放送に含まれるコンテンツデータから前記画像形成装置で印刷する印刷データを準備して送信する印刷データ出力手段とを有し、前記受信されるデジタルデータ放送に含まれるコンテンツデータの削除処理を許容し、前記受付手段により配信要求を受けた後に受信されるデジタルデータ放送に含まれるコンテンツデータから、前記印刷データ出力手段により前記画像形成装置で印刷する印刷データを準備することを特徴とする。
【手続補正５】
【補正対象書類名】明細書
【補正対象項目名】００１３
【補正方法】変更
【補正の内容】
【００１３】
本発明のデジタル情報制御方法は、繰り返し受信されるデジタルデータ放送に含まれるコンテンツデータの印刷を制御するデジタル情報制御方法であって、前記デジタルデータ放送に含まれるコンテンツデータの印刷処理を開始すべく、画像形成装置に印刷要求ジョブを発行する印刷要求ステップと、前記画像形成装置から印刷データの配信要求を受け付ける受付ステップと、前記受付ステップにより配信要求を受け付けた後に、前記デジタルデータ放送に含まれるコンテンツデータから前記画像形成装置で印刷する印刷データを準備して送信する印刷データ出力ステップとを有し、前記受信されるデジタルデータ放送に含まれるコンテンツデータの削除処理を許容し、前記受付ステップにより配信要求を受けた後に受信されるデジタルデータ放送に含まれるコンテンツデータから、前記印刷データ出力ステップにより前記画像形成装置で印刷する印刷データを準備することを特徴とする。
【手続補正６】
【補正対象書類名】明細書
【補正対象項目名】００１４
【補正方法】削除
【補正の内容】